(57)【特許請求の範囲】
【請求項１】
ノブの操作に節度感を与えるべく、ノブ又はボデーの一方に支持されたプッシャが他方の節度面にスプリングの力で押し付けられるスイッチ構造において、
前記プッシャは、前記ノブ又は前記ボデーとの間で、少なくとも２箇所に摺動面を有し、当該プッシャには、いずれかの摺動面に塗布されたグリースを他の摺動面へと導く溝を設定した
ことを特徴とするスイッチ構造。
【請求項２】
前記プッシャの溝は、より低い位置の摺動面に塗布されたグリースをより高い位置の摺動面へと導く溝を含む
請求項１に記載のスイッチ構造。
【請求項３】
前記プッシャには、前記節度面に対する接触部分との干渉を回避しつつ前記溝が設定される
請求項１又は２に記載のスイッチ構造。
【請求項４】
前記プッシャは、前記ノブ又は前記ボデーの一方に支持され、
前記プッシャの溝は、当該ノブ又は当該ボデーの前記プッシャを支持しない他方との接触部分に達する
請求項１〜３のいずれか一項に記載のスイッチ構造。
【請求項５】
スイッチ構造であって、
ユーザが操作可能なノブと、
前記ノブが取り付けられるボデーと、
前記ノブ及び前記ボデーのうちの一方に形成された支持部と、
前記支持部によって支持されたプッシャと、
前記ノブの操作に節度感を与えるべく、前記ノブ及び前記ボデーのうちの他方に形成された節度面と、
前記プッシャを前記節度面に押し付けるスプリングと、を備え
前記プッシャは、前記ノブ及び前記ボデーに対して摺動する少なくとも２つの摺動面を含み、
前記プッシャは、前記少なくとも２つの摺動面の一方の摺動面に塗布されたグリースを前記少なくとも２つの摺動面のうちの他の摺動面へと導く溝を含む、
スイッチ構造。
【請求項６】
前記支持部は前記ノブに形成され、
前記節度面は前記ボデーに形成され、
前記少なくとも２つの摺動面は、
前記節度面に対する前記プッシャの接触部分を有する第１摺動面と、
前記第１摺動面に連続する面であって、前記第１摺動面よりも前記スイッチ構造の高さ方向においてより高い位置に存在する第２摺動面と、
を有し、
前記プッシャの溝は、前記第１摺動面に塗布された前記グリースを前記第２摺動面へと導くように、前記第１摺動面から前記第２摺動面へと連続して形成されている、請求項５に記載のスイッチ構造。
【発明の詳細な説明】
【技術分野】
【０００１】
本発明は、ノブの操作に節度感を与えるべく、ノブ又はボデーの一方に支持されたプッシャが他方の節度面にスプリングの力で押し付けられるスイッチ構造に関する。
【背景技術】
【０００２】
特許文献１には、ノブの操作に節度感を与えるスイッチ構造が開示されている。
図４に示すように、ボデー３１には節度山を含む節度面が形成され、その節度面にスプリング３２の力でプッシャ３３が押し付けられて当初は中立位置で保持されている。プッシャ３３はスプリング３２と共にノブ３４によって支持されている。ノブ３４を操作すると、プッシャ３３がボデー３１の節度面に沿って摺動する。このとき、プッシャ３３がボデー３１の節度山を乗り越えた際に節度感（クリック感）が与えられる。ノブ３４の操作を解除すると、プッシャ３３は中立位置に戻る。
【先行技術文献】
【特許文献】
【０００３】
【特許文献１】実開平７−２２４３５号公報
【発明の概要】
【発明が解決しようとする課題】
【０００４】
プッシャ３３が円滑に運動できるよう、ボデー３１との摺動面の他、ノブ３４との摺動面にもグリースが塗布される。グリースを塗布する箇所が多いと、工数のかかる分、コストがかかることになる。
【０００５】
本発明は、このような問題点に着目してなされたものであって、その目的は、グリースの塗布箇所の削減を可能にしたスイッチ構造を提供することにある。
【課題を解決するための手段】
【０００６】
上記課題を解決するスイッチ構造は、ノブの操作に節度感を与えるべく、ノブ又はボデーの一方に支持されたプッシャが他方の節度面にスプリングの力で押し付けられるスイッチ構造において、前記プッシャは、前記ノブ又は前記ボデーとの間で、少なくとも２箇所に摺動面を有し、当該プッシャには、いずれかの摺動面に塗布されたグリースを他の摺動面へと導く溝を設定したことをその要旨としている。
【０００７】
この構成によれば、いずれかの摺動面に塗布されたグリースが溝を伝って他の摺動面に到達することにより、それぞれの摺動面で所期の目的が果たされる。このため、全ての摺動面で所期の目的を果たすにあたり、当該全ての摺動面にそれぞれグリースを塗布する代わりに、グリースを塗布する箇所を限定することが可能になる。したがって、グリースの塗布箇所を削減することができる。
【０００８】
上記スイッチ構造について、前記プッシャの溝は、より低い位置の摺動面に塗布されたグリースをより高い位置の摺動面へと導く溝を含むこととしてもよい。
この構成によれば、毛細管現象によるグリースのにじみを利用し、グリースの塗布箇所を減らすことができる。
【０００９】
上記スイッチ構造について、前記プッシャには、前記節度面に対する接触部分との干渉を回避しつつ前記溝が設定されることとしてもよい。
この構成によれば、プッシャがノブ又はボデーの節度面に沿って摺動する際、その摺動時の接触の度合がプッシャの溝によって小さくなることが回避される。したがって、十分な節度感を与えることができる。
【００１０】
上記スイッチ構造について、前記プッシャの溝は、当該プッシャが前記ノブ又は前記ボデーから支持を受ける、当該ノブ又は当該ボデーとの接触部分に達することとしてもよい。
【００１１】
この構成によれば、プッシャがノブ又はボデーから支持を受ける際に当該ノブ又は当該ボデーと接触する部分がグリースで十分に満たされる。したがって、好適な支持のもとプッシャが円滑に運動できるようになる。
【発明の効果】
【００１２】
本発明によれば、グリースの塗布箇所を削減することができる。
【図面の簡単な説明】
【００１３】
【図１】スイッチ構造の縦断面図。
【図２】プッシャについて、（ａ）は平面図、（ｂ）は側面図、（ｃ）は正面図。
【図３】スイッチ構造の横断面図。
【図４】従来のスイッチ構造の縦断面図。
【発明を実施するための形態】
【００１４】
以下、スイッチ構造の一実施の形態について説明する。
図１に示すように、例えばパワーウインドウスイッチのスイッチ構造１において、ノブ２には、ボデー３に向かって下方に延びる筒部４が形成されている。筒部４内にはスプリング５が収容されている。スプリング５の基端側は筒部４の内奥部で固定され、スプリング５の先端側にはプッシャ６が取り付けられている。スプリング５の基端側が固定端であり、スプリング５の先端側が自由端である。プッシャ６は、スプリング５と共にノブ２によって筒部４内で支持されていることになる。
【００１５】
プッシャ６は、ボデー３に形成された節度面７にスプリング５の力で押し付けられて当初は中立位置で保持されている。節度面７はボデー節度形状の表面であり、表面形状が緩やかに凸の節度山を含む。そして、実線の矢印で示すように、ノブ２を右斜め上の方向に操作すると、プッシャ６が中立位置から節度面７に沿って左斜め上の方向に摺動する。このとき、プッシャ６が左側の節度山を乗り越えた際に節度感が与えられる。ノブ２の操作を解除すると、プッシャ６は中立位置に戻る。
【００１６】
一方、破線の矢印で示すように、ノブ２を左斜め下の方向に操作すると、プッシャ６が中立位置から節度面７に沿って右斜め上の方向に摺動する。このとき、プッシャ６が右側の節度山を乗り越えた際に節度感が与えられる。ノブ２の操作を解除すると、プッシャ６は中立位置に戻る。
【００１７】
プッシャ６が円滑に運動できるよう、ボデー３（節度面７）との摺動面の他、ノブ２（筒部４）との摺動面がグリースで満たされている（便宜上、図示は割愛）。
図２（ａ）〜（ｃ）に示すように、プッシャ６は、およそ四角柱の形状をなし、その側面には、全部で６本のＶ溝８が面の上端から下端付近まで連続して設定されている。すなわち、長辺に対応して高さ方向に延びる２つの面には、それぞれの面の左右の端部付近に１本ずつＶ溝８が設定され、短辺に対応して高さ方向に延びる２つの面には、それぞれの面の左右の中央付近に１本のＶ溝８が設定されている。
【００１８】
いずれのＶ溝８も、節度面７（図３参照）に対する接触部分（図２（ｂ）を参照してプッシャ６の最も下側の球面形状部のうち、図２（ｃ）を参照した左右の中央部分）との干渉を回避しつつ設定されている。それぞれのＶ溝８について、上端は、筒部４（図１参照）との接触部分に達している。一方、それぞれのＶ溝８の下端は、節度面７に対する接触部分との干渉が回避されているものの、当該接触部分（ボデー３との摺動面）に塗布されたグリースで満たされる環境にある。
【００１９】
次に、スイッチ構造１の作用について説明する。
図１を参照して、プッシャ６とボデー３（節度面７）の摺動面に予めグリースを塗布する。このグリースで節度面７との摺動面の他、各Ｖ溝８の下端が満たされると、毛細管現象によりグリースが各Ｖ溝８を伝って上昇し、プッシャ６とノブ２（筒部４）の摺動面に到達する。その結果、予めグリースを塗布したボデー３（節度面７）との摺動面に加え、グリースを塗布していないノブ２（筒部４）との摺動面もグリースで満たされることになる。
【００２０】
以上説明したように、本実施の形態によれば、以下の効果を奏することができる。
（１）プッシャ６とボデー３（節度面７）の摺動面に塗布されたグリースが各Ｖ溝８を伝ってプッシャ６とノブ２（筒部４）の摺動面に到達することにより、それぞれの摺動面で所期の目的が果たされる。このため、２箇所の摺動面で所期の目的を果たすにあたり、当該２箇所の摺動面にそれぞれグリースを塗布する代わりに、グリースを塗布する箇所を１箇所に限定することが可能になる。したがって、グリースの塗布箇所を削減することができる。
【００２１】
（２）プッシャ６の各Ｖ溝８は、より低い位置の摺動面に塗布されたグリースをより高い位置の摺動面へと導く溝ということになる。この構成によれば、毛細管現象によるグリースのにじみを利用し、グリースの塗布箇所を減らすことができる。
【００２２】
（３）プッシャ６には、節度面７に対する接触部分との干渉を回避しつつ各Ｖ溝８が設定される。この構成によれば、プッシャ６がボデー３の節度面７に沿って摺動する際、その摺動時の接触の度合がプッシャ６の各Ｖ溝８によって小さくなることが回避される。したがって、十分な節度感を与えることができる。
【００２３】
（４）プッシャ６の各Ｖ溝８は、当該プッシャ６がノブ２から支持を受ける、当該ノブ２（筒部４）との接触部分に達する。この構成によれば、プッシャ６がノブ２から支持を受ける際に当該ノブ２（筒部４）と接触する部分がグリースで十分に満たされる。したがって、好適な支持のもとプッシャ６が円滑に運動できるようになる。
【００２４】
（５）２箇所の摺動面に跨る部品（プッシャ６）にＶ溝８を設定することで、一方の摺動面に塗布したグリースを他方の摺動面へと導くことができる。
（６）２箇所の摺動面の一方から他方へグリースを導くにあたり、複数本のＶ溝８を設定した。このため、いずれかのＶ溝８が使えなくなっても、他のＶ溝８によってグリースを導けることになる。したがって、グリースの効果を長期に亘り維持できる。
【００２５】
尚、上記実施の形態は、次のように変更して具体化することも可能である。
・プッシャ６に設定する溝は、断面がＶ字状をなすＶ溝８に限定されない。断面がコ字状をなす溝等、任意の溝を設定してもよい。
【００２６】
・高低差のある２箇所の摺動面を想定した、高さ方向に延びる溝に限定されない。水平方向に沿った２箇所の摺動面を想定しつつ、横方向に延びる溝を設定してもよい。
・２次元的に斜め方向に延びる溝を設定してもよい。
【００２７】
・高さ方向に延びる部分と水平方向に延びる部分と２次元的に斜め方向に延びる部分とを任意に組み合わせた溝を設定してもよい。尚、途中で枝分かれした溝も許容される。例えば、Ｔ字形状或いは十字形状或いは櫛歯形状を含んでもよい。
【００２８】
・プッシャ６の外形形状に倣い、３次元的に方向の変化する溝を設定してもよい。この場合も、途中で枝分かれした溝も許容される。
・分断されない１つの溝について、グリースの導入口の数と導出口の数は互いに同じでもよいし、導入口の数よりも導出口の数の方が多い等、互いに異なってもよい。
【００２９】
・３箇所以上の摺動面を想定しつつ、１つ以上の溝を上記いずれかの溝の中から選択してもよい。
・節度感に制約がなければ、プッシャ６に設定する溝は、節度面７に対する接触部分との干渉が必ずしも回避されなくてもよい。
【００３０】
・上記実施の形態では、ボデー３に節度面７が形成されるとともに、ノブ２によってプッシャ６が支持されていたが、ボデーに支持されたプッシャがノブの節度面にスプリングの力で押し付けられるスイッチ構造であってもよい。
【００３１】
・グリースの塗布箇所は１箇所に限定されない。３箇所以上の摺動面を想定しつつ、摺動面の数よりも少ない例えば２箇所に塗布したグリースが溝を伝って最終的に全ての摺動面を満たすことで、それぞれの摺動面において所期の目的が果たされてもよい。
【００３２】
次に、上記実施の形態及び別例から把握できる技術的思想について記載する。
（イ）スイッチ構造において、プッシャの溝は、枝分かれした溝を含むこと。
【符号の説明】
【００３３】
１…スイッチ構造、２…ノブ、３…ボデー、４…筒部、５…スプリング、６…プッシャ、７…節度面、８…Ｖ溝（溝）。
【図１】
0006367749.tif 000002
【図２】
0006367749.tif 000003
【図３】
0006367749.tif 000004
【図４】
0006367749.tif 000005